(57)【要約】【課題】本考案は、装置全体をコンパクトで且つ給水及び真空吸引を自動化した、キノコ類の菌床に水又は栄養剤を含む水溶液を浸透させる低圧式菌床含水装置を提供する。【解決手段】本考案の低圧式菌床含水装置は、上部開口の耐圧容器１と、該耐圧容器１内上部に着脱自在に内装された貫通口を有する内蓋２と、前記耐圧容器１を密閉する蓋本体に注水口、吸引口及び水位センサー取付口を設けた外蓋３と、該外蓋３に設けられた注水口、吸引口及び水位センサー取付口にそれぞれ接続された注水ホース４、バキュームホース５及び水位センサーコード６と、前記注水ホース４、バキュームホース５及び水位センサーコード６を取付け接続した水位・減圧コントロールボックス７とからなる。【選択図】図１
0003155972.tif 000002
【実用新案登録請求の範囲】
【請求項１】
上部開口の耐圧容器と、該耐圧容器内上部に着脱自在に内装された貫通口を有する内蓋と、前記耐圧容器を密閉する蓋本体に注水口、吸引口及び水位センサー取付口を設けた外蓋と、該外蓋に設けられた注水口、吸引口及び水位センサー取付口にそれぞれ接続された注水ホース、バキュームホース及び水位センサーコードと、前記注水ホース、バキュームホース及び水位センサーコードを取付け接続した水位・減圧コントロールボックスとからなることを特徴とする低圧式菌床含水装置。
【請求項２】
前記耐圧容器は、ステンレス製の上部開口円筒容器で開口部外周に適宜間隔で閉蓋クランプを複数個設けて、該閉蓋クランプにより外蓋を密封状態に保持することを特徴とする請求項１記載の低圧式菌床含水装置。
【請求項３】
前記内蓋は、網状円盤又はパンチング穴を多数個設けた円板からなり、前記耐圧容器内上部に設けられた係合段部又は係合突起部に載置され、該係合段部又は係合突起部の嵌合部に係合させることにより着脱自在に固定することを特徴とする請求項１記載の低圧式菌床含水装置。
【請求項４】
前記水位・減圧コントロールボックスは、水道管開閉弁、バキュームポンプ及びパソコン制御装置が内蔵されており、水道管開閉弁には注水ホース、バキュームポンプにはバキュームホース、パソコン制御装置には水位センサーコードがそれぞれ接続され、前記パソコン制御装置には水道管開閉弁コード、バキュームポンプコード及び水位センサーコードがそれぞれ配線されることを特徴とする請求項１記載の低圧式菌床含水装置。
【考案の詳細な説明】
【技術分野】
【０００１】
本考案は、キノコ類、特に椎茸の菌床に水又は栄養剤を含む水溶液を浸透させる低圧式菌床含水装置に関する。
【背景技術】
【０００２】
きのこ類の人工栽培に用いた水等の液体が抜け出て乾燥した状態にある塊状に形成されたきのこ栽培用培地に容器内の液体を容易且つ万遍なく浸透させることができるきのこ栽培用培地への液体浸透方法が知られている（特許文献１を参照）。
この公知技術は、きのこ栽培用培地を容器内に収容された液体中に浸漬し、次いでその容器の開口部を蓋体で覆って封じ、その後容器内の空気を蓋体に設けられた吸気口を通して容器外部に吸引して排除し、容器内を大気圧より低く減圧した状態とし、そして容器内の液体中に浸漬したきのこ栽培用培地内に残存する空気をきのこ栽培用培地の外部に抜け出させて、そのきのこ栽培用培地に容器内の液体を浸透させるきのこ栽培用培地への液体浸透方法である。
【０００３】
さらに、菌床に水分を補給するに際し、僅かの時間で補給ができ、且つ菌床が吸収した水の量を知り水分の調節をすることにより、良好な水分の状態の菌床とするキノコ用菌床の水分補給方法が知られている（特許文献２を参照）。
この公知技術は、密閉した水槽本体内に菌床を多数載せた棚を昇降可能に浸漬し、水槽本体内の空気を蓋に設けた真空ポンプで抜き取りながら菌床に水分を吸収させるキノコ用菌床の水分補給方法である。
【先行技術文献】
【特許文献】
【０００４】
【特許文献１】特開２０００−７８９２９号公報
【特許文献２】特開平１０−２９５１８６号公報
【考案の概要】
【考案が解決しようとする課題】
【０００５】
本考案は、装置全体をコンパクトで且つ給水及び真空吸引を自動化した、キノコ類の菌床に水又は栄養剤を含む水溶液を浸透させる低圧式菌床含水装置を提供することを目的とする。
【課題を解決するための手段】
【０００６】
本考案の低圧式菌床含水装置は、上部開口の耐圧容器と、該耐圧容器内上部に着脱自在に内装された貫通口を有する内蓋と、前記耐圧容器を密閉する蓋本体に注水口、吸引口及び水位センサー取付口を設けた外蓋と、該外蓋に設けられた注水口、吸引口及び水位センサー取付口にそれぞれ接続された注水ホース、バキュームホース及び水位センサーコードと、前記注水ホース、バキュームホース及び水位センサーコードを取付け接続した水位・減圧コントロールボックスとからなるものである。
前記耐圧容器は、ステンレス製の上部開口円筒容器で開口部外周に適宜間隔で閉蓋クランプを複数個設けて、該閉蓋クランプにより外蓋を密封状態に保持する。
前記内蓋は、網状円盤又はパンチング穴を多数個設けた円板からなり、前記耐圧容器内上部に設けられた係合段部又は係合突起部に載置され、該係合段部又は係合突起部の嵌合部に係合させることにより着脱自在に固定する。
前記水位・減圧コントロールボックスは、水道管開閉弁、バキュームポンプ及びパソコン制御装置が内蔵されており、水道管開閉弁には注水ホース、バキュームポンプにはバキュームホース、パソコン制御装置には水位センサーコードがそれぞれ接続される。また、パソコン制御装置には水道管開閉弁コード、バキュームポンプコード及び水位センサーコードがそれぞれ配線される。
【考案の効果】
【０００７】
本考案の低圧式菌床含水装置は、上部開口の耐圧容器と、該耐圧容器内上部に着脱自在に内装された貫通口を有する内蓋と、前記耐圧容器を密閉する蓋本体に注水口、吸引口及び水位センサー取付口を設けた外蓋と、該外蓋に設けられた注水口、吸引口及び水位センサー取付口にそれぞれ接続された注水ホース、バキュームホース及び水位センサーコードと、前記注水ホース、バキュームホース及び水位センサーコードを取付け接続した水位・減圧コントロールボックスとからなるため、装置全体をコンパクトで且つ給水及び真空吸引を自動化することができる。
【図面の簡単な説明】
【０００８】
【図１】本考案の低圧式菌床含水装置の概略説明図である。
【図２】本考案の低圧式菌床含水装置の準備前段階の概略説明図である。
【図３】本考案の低圧式菌床含水装置の操作動作中の概略説明図である。
【考案を実施するための形態】
【０００９】
本考案の低圧式菌床含水装置の一実施例を添付図面に基づいて、以下に説明する。
図１に示すように、本考案の低圧式菌床含水装置は、上部開口の耐圧容器１と、該耐圧容器１内上部に着脱自在に内装された貫通口を有する内蓋２と、前記耐圧容器１を密閉する蓋本体に注水口、吸引口及び水位センサー取付口を設けた外蓋３と、該外蓋３に設けられた注水口、吸引口及び水位センサー取付口にそれぞれ接続された注水ホース４、バキュームホース５及び水位センサーコード６と、前記注水ホース４、バキュームホース５及び水位センサーコード６を取付け接続した水位・減圧コントロールボックス７とからなる。
【００１０】
前記耐圧容器１は、ステンレス製の上部開口円筒容器で開口部外周に適宜間隔で閉蓋クランプ（図示せず）を複数個設けて、該閉蓋クランプにより外蓋３を密封状態に保持する。
前記内蓋２は、網状円盤又はパンチング穴を多数個設けた円板からなり、前記耐圧容器１内上部に設けられた係合段部又は係合突起部に載置され、該係合段部又は係合突起部の嵌合部に係合させることにより着脱自在に固定するものである。
前記外蓋３は、ステンレス製で前記耐圧容器１の開口部を覆う被せ蓋で、閉蓋クランプにより密封状態に保持される。
前記水位・減圧コントロールボックス７は、水道管開閉弁（図示せず）、バキュームポンプ（図示せず）及びパソコン制御装置（図示せず）が内蔵されており、水道管開閉弁には注水ホース４、バキュームポンプにはバキュームホース５、パソコン制御装置には水位センサーコード６がそれぞれ接続される。また、パソコン制御装置には水道管開閉弁コード（図示せず）、バキュームポンプコード（図示せず）及び水位センサーコード６がそれぞれ配線される。
【００１１】
次に、本考案の低圧式菌床含水装置の操作動作を添付図面に基づいて、以下に説明する。
まず、２個の耐圧容器１を用意し、図２に示すように、一方の耐圧容器１に円筒体の菌床を並べて収納し、図１に示す内蓋２を固定する。そして、水位・減圧コントロールボックス７に接続されている注水ホース４、バキュームホース５及び水位センサーコード６を取付けた外蓋３を前記耐圧容器１の開口部に被せ、閉蓋クランプで保持して密封する。
このように外蓋３をした状態が図１で示す状態である。ここで前記水位・減圧コントロールボックス７の作動スイッチをONすると、水位・減圧コントロールボックス７から水又は栄養剤を含む水溶液が注水ホース４に供給され、図３に示すように前記耐圧容器１の一定水位まで液体が供給されると、水位センサー（図示せず）により検知されて注水がストップする。
続いて、バキュームポンプが作動して前記耐圧容器１内の空気を排出して耐圧容器１内を一定圧まで減圧状態にする。次に、減圧状態を大気圧に復帰させて菌床に含水させる。
この減圧と大気圧との操作を２〜３回繰り返して菌床に十分に含水させる。これら操作を終了したら、外蓋３を外して菌床を取り出す作業を行う。
この取り出し作業の一方、他方の耐圧容器１に前述と同様に前記耐圧容器１に円筒体の菌床を並べて収納し、内蓋２を固定して、先ほど外した外蓋３を前記耐圧容器１の開口部に被せ、閉蓋クランプで保持して密封する。その後は前記水位・減圧コントロールボックス７の作動スイッチをONすると、前述した菌床への含水作業が始まる。
このようにして、２個の耐圧容器１を交互に使用することにより、効率よく作業を行うことができる。
【符号の説明】
【００１２】
１  耐圧容器
２  内蓋
３  外蓋
４  注水ホース
５  バキュームポンプ
６  水位センサーコード
７  水位・減圧コントロールボックス
【図１】
0003155972.tif 000003
【図２】
0003155972.tif 000004
【図３】
0003155972.tif 000005